(57)【特許請求の範囲】
【請求項１】
複数の走査線と複数の画像信号線との交点にマトリクス状に配置されたスイッチング素子を有する表示電極部、この表示電極部の一辺に沿って配置され、近接して平行に設けられると共に表示電極部を駆動するよう接続されて、互いに異なる極性の同期信号を伝送する一対の同期信号線、この一対の同期信号線の両側に沿うように配置され、隣接する同期信号線によって上記隣接する同期信号線に流れる電流と逆極性の電流が誘導されるように閉じた信号路を形成する閉回路を備えたことを特徴とするマトリクス型表示装置。
【請求項２】
表示電極部と同期信号線との間に配置され、一対の同期信号線の少なくとも一方及び表示電極部の画像信号線に接続されている複数のサンプルホールド回路を備えたことを特徴とする請求項１記載のマトリクス型表示装置。
【請求項３】
一対の同期信号線の一方と他方に交互に接続された複数のサンプルホールド回路を備えたことを特徴とする請求項１記載のマトリクス型表示装置。
【請求項４】
一対の同期信号線の両方に接続された複数のサンプルホールド回路を備えたことを特徴とする請求項１記載のマトリクス型表示装置。
【発明の詳細な説明】
【０００１】
【発明の属する技術分野】
この発明は、マトリクス型表示装置の不用輻射の低減に関するものである。
【０００２】
【従来の技術】
マトリクス型表示装置を用いて高精細、大画面の画像を表示するには、画像信号源から表示電極基板へのデータ伝送量を増やす必要がある。そのためには、画像信号線を増やすか、伝送周波数を高くする必要がある。画像信号線を増やす方法は、伝送路を構成する回路基板のサイズ、コネクタ数等が増大するため、一般には、伝送周波数を高くする方法が採用されている。
しかし、伝送周波数を高くするにしたがい、伝送路からの電磁波の不用輻射量の増大が問題となる。ところで、伝送路を通る信号は、画像信号と、同期信号である。このうち同期信号の周波数が高く、それに同期して画像信号が伝送される。そのため、同期信号の伝送路からの不用輻射が最も大きい。
【０００３】
【発明が解決しようとする課題】
従来は、一方向の極性の同期信号のみを用いたマトリクス型表示装置であったため、伝送路をシールド部材で覆うなどして、不用輻射の低減を図っていた。しかし、シールド対策に伴う表示装置のサイズ、重量の増加、また部材コスト、組み立て工程の増加などの問題点があった。
なお、特開平４−１０６５８７号公報には、極性の異なるクロックラインを配置してクロックライン間のノイズを低減させる技術が紹介されているが、不用輻射の低減を徹底したものではなかった。
【０００４】
この発明は、このような課題を解決するためになされたもので、画像信号源と表示電極基板間の伝送路の不用輻射を低減させ、高精細で大画面のマトリクス型表示装置を提供することを目的とするものである。
【０００５】
【課題を解決するための手段】
この発明に係わるマトリクス型表示装置においては、複数の走査線と複数の画像信号線との交点にマトリクス状に配置されたスイッチング素子を有する表示電極部、この表示電極部の一辺に沿って配置され、近接して平行に設けられると共に表示電極部を駆動するよう接続されて、互いに異なる極性の同期信号を伝送する一対の同期信号線、この一対の同期信号線の両側に沿うように配置され、隣接する同期信号線によって隣接する同期信号線に流れる電流と逆極性の電流が誘導されるように閉じた信号路を形成する閉回路を備えたものである。
また、表示電極部と同期信号線との間に配置され、一対の同期信号線の少なくとも一方及び表示電極部の画像信号線に接続されている複数のサンプルホールド回路を備えたものである。
【０００６】
また、一対の同期信号線の一方と他方に交互に接続された複数のサンプルホールド回路を備えたものである。
さらに、一対の同期信号線の両方に接続された複数のサンプルホールド回路を備えたものである。
【０００８】
【発明の実施の形態】
以下、この発明の実施の形態を図について説明する。
実施の形態１．
図１は、この発明のマトリクス型表示装置を示す構成図である。
図において、１は表示電極基板、２は表示電極基板１上にあって一方向に平行に設けられた複数の走査線、３は走査線２に直交して平行に設けられた複数の画像信号線、４は走査線２と画像信号線３に囲まれた矩形領域である画素、５は画素４を構成する画素電極、６は画素電極５に対向して配置された対向電極、７は画素電極５と対向電極６との間に液晶を封入して形成された液晶セルである。９は各画素４に接続されたスイッチング素子であるＴＦＴ、１０は走査線２に接続されているＴＦＴ９のゲート電極、１１は画像信号線３に接続されているＴＦＴ９のソース電極、１２は画素電極５に接続されているＴＦＴ９のドレイン電極である。２０は表示電極基板１を駆動するための信号を発生する信号源、２１は信号源２０から発生される原画像信号を伝送する原画像信号線（表示電極基板１内の画像信号線３との混在をさけるため、原画像信号線と称す）、２２ａ、２２ｂは信号源２０から発生される同期信号を伝送する互いに極性の異なる同期信号線である。２３は原画像信号線２１、同期信号線２２ａと表示電極基板１間に設けられたサンプルホールド回路で、画像信号線３に同期信号に同期して選択された画像信号を送る。２４は信号源２０に接続された走査線選択信号線、２５は信号源２０と表示電極基板１間に配置され、走査線選択信号線２４に接続された走査線選択回路で、走査線２に接続されている。２６は同期信号線２２ａ、２２ｂを囲む閉回路信号路である。
【０００９】
図２は、同期信号線と原画像信号線の信号波形の例を示す図である。図において、２１、２２ａ、２２ｂは図１におけるものと同一のものである。
図３は、同期信号線を示す断面図である。図において、２２ａ、２２ｂは図１におけるものと同一のものであるが、近接、平行して設けられている。２６ａ、２６ｂは閉回路信号路２６の一部を示している。２７ａ、２７ｂは同期信号線２２ａ、２２ｂにそれぞれ流れる電流、２８ａ、２８ｂは同期信号線２２ａ、２２ｂに流れる電流２７ａ、２７ｂによってそれぞれ発生する磁界である。
２９ａ、２９ｂは磁界２８ａ、２８ｂによって、閉回路信号路２６ａ、２６ｂにそれぞれ誘導される電流、３０ａ、３０ｂは電流２９ａ、２９ｂによって発生する磁界である。３１は同期信号２２ａ、２２ｂ及び閉回路信号路２６が設けられたプリント基板である。
【００１０】
このマトリクス型表示装置においては、走査線２の走査信号によって開閉されるＴＦＴ９により、画像信号線３の画像信号が、各画素４の画素電極５に書き込まれる。そして、この画素電極５の電圧と対向電極６の電圧の電位差により、液晶の可視光の透過率が変化し、画像信号が、可視的に表示される。
また図３において、同期信号線２２ａ、２２ｂに流れる電流２７ａ、２７ｂから発生する磁界２８ａ、２８ｂは、図２に信号波形を示すごとく極性が異なるため、互いに打ち消しあい、同期信号線２２ａ、２２ｂの間から外部に漏れる磁界が小さくなる。
【００１１】
また、同期信号線２２ａから発生する磁界２８ａにより、閉回路信号路２６ａに電流２９ａが誘導される。この電流２９ａによって発生する磁界３０ａは、２８ａと逆極性なので、外部に漏れる磁界が小さくなる。
さらに、この信号路は、閉回路なので、誘導された電流２９ａは、閉回路信号路２６ｂに電流２９ｂとして流れる。この電流２９ｂは、同期信号線２２ｂに流れる電流２７ｂと逆極性のため、それぞれの磁界２８ｂ、３０ｂは打ち消しあい、外部に漏れる磁界が小さくなる。
このように、同期信号線２２ａ、２２ｂを囲む閉回路信号路２６を設けることで、同期信号線２２ａ、２２ｂの間に発生する磁界だけでなく、その外側への磁界の漏れを小さくできる。
【００１２】
実施の形態２．
図４は、この発明の実施の形態２によるマトリクス型表示装置を示す構成図である。図において、１、２０〜２２ｂ、２４〜２６は図１におけるものと同一のものであり、その説明を省略する。２３ａ、２３ｂは信号源２０と表示電極基板１間に設けられ、原画像信号線２１とそれぞれ同期信号線２２ａ、２２ｂに接続された図１と同様のサンプルホールド回路で、表示電極基板１の画像信号線３に接続されている。
【００１３】
実施の形態２は、信号源２０と表示電極基板１間に、互いに極性の異なる複数の同期信号と、各々の極性に同期して原画像信号を取り込むサンプルホールド回路２３ａ、２３ｂを交互に設け、かつ同期信号線２２ａ、２２ｂを囲む閉回路信号路２６を設けたものである。
たとえば、サンプルホールド回路２３ａは同期信号の立ち下がり、２３ｂは同期信号の立ち上がりにて、原画像信号を取り込むような構成とする。
同期信号線２２ａと２２ｂがそれぞれサンプルホールド回路２３ａ、２３ｂに交互に接続されるため、同期信号線の負荷が均一になり、波形の対称性が高くなり、発生する磁界が効果的に打ち消される。
さらに、同期信号線２２ａ、２２ｂを囲む閉回路信号路２６を設けることで、同期信号線２２ａ、２２ｂの間に発生する磁界だけでなく、その外側への磁界の漏れをも小さくできる。
【００１４】
実施の形態３．
図５は、この発明の実施の形態３によるマトリクス型表示装置を示す構成図である。図において、１、２０〜２２ｂ、２４〜２６は図１におけるものと同一のものであり、その説明を省略する。２３は図１と同じサンプルホールド回路であるが、同期信号線２２ａのみならず、２２ｂにも接続されている。
【００１５】
図５は、信号源２０と表示電極基板１間に、極性の異なる複数の同期信号と、各々の極性の差動レベルに同期して原画像信号を取り込むサンプルホールド回路２３を設け、かつ同期信号線２２ａ、２２ｂを囲む閉回路信号路２６を設けたものである。極性の異なる同期信号線２２ａ、２２ｂが、サンプルホールド回路２３の入力部まで接続されるため、サンプルホールド回路２３の周辺で発生する磁界も打ち消しあうことができるので、外部に漏れる磁界がさらに小さくなる。
加えて、同期信号線２２ａ、２２ｂを囲む閉回路信号路２６を設けることで、同期信号線２２ａ、２２ｂの間に発生する磁界だけでなく、その外側への磁界の漏れをも小さくできる。
【００１６】
【発明の効果】
この発明は、以上説明したように構成されているので、以下に示すような効果を奏する。
表示電極部の一辺に沿って配置され、近接して平行に設けられると共に表示電極部を駆動するよう接続されて、互いに異なる極性の同期信号を伝送する一対の同期信号線と、この一対の同期信号線の両側に沿うように配置され、隣接する同期信号線によって隣接する同期信号線に流れる電流と逆極性の電流が誘導されるように閉じた信号路を形成する閉回路を備えたので、一対の同期信号線が発生する電磁波は互いに打ち消しあい、その上閉回路に誘導される電流によって発生する磁界も同期信号線と逆極性であるから、外部に漏れる電磁波をさらに小さくできる。
【００１７】
また、一対の同期信号線の一方と他方に交互に接続された複数のサンプルホールド回路を備えたので、同期信号線の負荷が均一になり、同期信号の波形の対称性が高くなって発生する電磁波が効果的に打ち消される。
さらに、一対の同期信号線の両方に接続された複数のサンプルホールド回路を備えたので、極性の異なる同期信号線がサンプルホールド回路の入力部にまで接続されるため、サンプルホールド回路の周辺で発生する電磁波も打ち消し合うことができる。
【図面の簡単な説明】
【図１】  この発明の実施の形態１によるマトリクス型表示装置を示す構成図である。
【図２】  この発明の実施の形態１によるマトリクス型表示装置の同期信号線の信号波形を示す図である。
【図３】  この発明の実施の形態１によるマトリクス型表示装置の同期信号線を示す断面図である。
【図４】  この発明の実施の形態２によるマトリクス型表示装置を示す構成図である。
【図５】  この発明の実施の形態３によるマトリクス型表示装置を示す構成図である。
【符号の説明】
１  表示電極基板、２  走査線、３  画像信号線、４  画素、９  ＴＦＴ、
２０  信号源、２１  原画像信号線、２２ａ，２２ｂ  同期信号線、
２３  サンプルホールド回路、２６  閉回路信号路、
２７ａ，２７ｂ，２９ａ，２９ｂ  電流、
２８ａ，２８ｂ，３０ａ，３０ｂ  磁界。
【図１】
0003792351.tif 000002
【図２】
0003792351.tif 000003
【図３】
0003792351.tif 000004
【図４】
0003792351.tif 000005
【図５】
0003792351.tif 000006